(57)【要約】      （修正有）【課題】歯列矯正器と歯の接触を有利にし、歯列矯正の効能を一層効果的に発揮することができる透明歯列矯正器の位置決め調整用ぺンチを提供する。【解決手段】透明歯列矯正マウスピースの位置決め調整用ぺンチであって、主として、ぺンチ体１を含み、ぺンチ体１の先端に開合できる二股チャッキング・ツール１１を備え、二股チャッキング・ツール１１の上にそれぞれ雄型と雌型の型押し金具４１、４２を設置し、二股チャッキング・ツール１１でマウスピースを挟み付け、且つ雄型と雌型の型押し金具４１、４２によってマウスピースの上に接触点を形成する。雄型と雌型の型押し金具４１、４２の型押し造形は点状・縦方向直線・横方向直線・弧状などの造形を呈し、マウスピースの位置形状基づいて雄型と雌型の型押し金具４１、４２の造形種類を選択する。【選択図】図２
0003183598.tif 000002
【実用新案登録請求の範囲】
【請求項１】
ぺンチ体の先端に成型部を備え、前記ぺンチ体の先端に開合できる二股チャッキング・ツールを有し、
前記成型部は二股チャッキング・ツール上にそれぞれ雄型及び雌型の型押し金具を設置し、
前記ぺンチ体の先端でマウスピースを挟み付け、且つ前記成型部の雄型及び雌型の型押し金具によってマウスピースの上に接触点を作り出すことを特徴とする透明歯列矯正器の位置決め調整用ぺンチ。
【請求項２】
前記二股チャッキング・ツール及び雄型・雌型の型押し金具の外形は、横方向直線、或いは縦方向直線又は弧状造形であることを特徴とする、請求項１に記載の透明歯列矯正器の位置決め調整用ぺンチ。
【請求項３】
前記二股チャッキング・ツールの造形を傾斜円柱体造形とし、前記マウスピースの上に円柱体状の接触点を作り出し、前記接触点の円柱面に開口を設けたことを特徴とする、請求項１に記載の透明歯列矯正器の位置決め調整用ぺンチ。
【考案の詳細な説明】
【技術分野】
【０００１】
本考案は、歯科用品の分野、特に歯列矯正器の上に接触点を増設して、歯列矯正器と歯の接触を有利にし、歯列矯正の効能を一層効果的に発揮する器具に関する。
【背景技術】
【０００２】
歯は、体の健康を維持する第一関門である、口内の食物をかみ砕いて、微細な状態に研磨し、しかるのちに胃の中へ入れて分解及び消化作業が行われる。若し、食物が適当に咀嚼されずに胃の中へ入ると、消化不良を起こし、更に体の健康に影響しやすくなる。
【０００３】
歯の健康を検査する第一歩は、歯自体の健全さのほかに、歯列の並び方も相当重要な要素である。若し、歯列の配列が整然としていれば、各歯はそれぞれその役割を果たし、口腔病変が起こりにくい。反対に、若し歯列が混乱していれば、噛み合わせが不完全となり、進食に影響し、もちろん健康に取ってもよくない。又、歯列混乱は口腔の清潔にも影響し、よごれがたまり、口腔病変が起こりやすい。
【０００４】
基本的な咀嚼機能のほかに、歯は顔部に位置するため、人と人が接触するとき最初に目につく器官である。だから、歯の配列の整然さや清潔さは、他人の主観的認知に大きく影響し、個人の生活や仕事にも影響が生じる。特に、生活水準の向上に伴い、人々は個人的イメージに一層注意を払うようになり、歯列矯正のニーズもますます重視されるようになった。
【０００５】
歯列矯正の過程は、長時間にわたる矯正過程であり、おろそかにできないことである。通常の歯列矯正方式では、歯科医によって患者の歯列状態を検査し、矯正プロセスを取り決め、各プロセスに基づいて歯の上に矯正器を装着し、次第に歯を適当な位置へ移動させる。前述矯正器で、よく見かけるのは、頬側或いは舌側にて用いられる金属線状の矯正糸があり、その長所は、構造が簡単で、取り付けが容易であること、しかし、欠点は外観が見苦しく、力が不均衡で、食べ物が詰まりやすく、虫歯や歯周症が生じやすく、しかも、矯正器が脱落したり、矯正糸が外れたりして、患者の頬粘膜を傷つけることがある。
【０００６】
もう一つの比較的新規なやり方は、透明フイルム・マウスピース方式で、歯科医が歯列矯正プロセスを設定した後、プロセスに基づいて歯の位置を調整する一連のマウスピースを制作し、各マウスピースはその使用過程で、それぞれ一部分を位置調整し、マウスピースを次々に交換する操作によって、歯列を正しい位置へ矯正することができる。
【０００７】
透明フイルム・マウスピース方式は、患者自身が口腔に装着する時間を決めることができ、しかも上述固定式矯正器の欠点を解決し、透明であるだけでなく、薄くて歯にぴったりはめ合わせることができる。
【０００８】
しかしながら、透明フイルム・マウスピースもすべてが完ぺきであるわけではなく、実際に歯にはめるときは、矯正すべき歯に効果的に接触して位置を矯正できるとは限らない。或いは又、歯列矯正移動中に余計な傾斜が生じることもあり、この場合、当該マウスピースの配置位置に対して、接触点を適当に増加して、接触効果を発揮させる必要がある。
【０００９】
そのため、マウスピースの上に接触点を設けやすくすることが業界で改善すべき事項となっている。
【００１０】
本考案者は透明フイルム・マウスピース矯正器の実際使用上において派生する欠点に鑑み、積極的に改善を求め、マウスピース矯正器上で接触点を増設しやすい工具を勘案し、長年の研究を経て、ついに本件歯列矯正器位置決め調整用ペンチの研究開発に成功した。
【先行技術文献】
【特許文献】
【００１１】
【特許文献１】なし
【考案の概要】
【考案が解決しようとする課題】
【００１２】
本考案の主要目的は、素早く、正確にマウスピースの上に接触点を設置し、マウスピースが順調に矯正されるべき歯に接触して、歯列矯正の仕事を行うことのできる透明フイルム・マウスピース矯正器の位置決め調整用ペンチを提供することにある。
【課題を解決するための手段】
【００１３】
前述目的を達成するため、本考案に係る透明フイルム・マウスピース矯正器の位置決め調整用ペンチは、主として、ぺンチ体を含む。前記ペンチ体の先端に成型部があり、このぺンチ体の先端によって透明フイルム・マウスピースを挟み付けるとともに前記成型部によって前記マウスピースの上に接触点を作る。前記ぺンチ体の先端には、開合できる二股チャッキング・ツールがあり、前記成型部の二股チャッキング・ツールにそれぞれ雄型と雌型の型押し金具を設け、二股チャッキング・ツールでマウスピースをはさみ、前記雄型と雌型の型押し金具によってマウスピースの上に接触点を押して作りだす。前記雄型と雌型の型押し金具は、点状・縦方向直線・横方向直線・湾曲などの造形種類をなし、透明フイルム・マウスピースの位置形状に従って前記雄型と雌型の型押し金具の造形種類を選択する。
【考案の効果】
【００１４】
本考案によれば、歯列矯正器の上に接触点を増設して、歯列矯正器と歯の接触を有利にし、歯列矯正の効能を一層効果的に発揮することができるという効果を奏する。
【図面の簡単な説明】
【００１５】
【図１】本考案のぺンチ体二股チャッキング・ツールを併合した斜視図である。
【図２】前記ぺンチ体の二股チャッキング・ツールを開いた斜視図である。
【図３】前記二股チャッキング・ツールを開いた別の角度の斜視図である。
【図４】前記二股チャッキング・ツールを開いた平面図である。
【図５】本考案におけるマウスピースの使用例図である。
【図６】本考案における接触点の操作原理図である。
【図７】本考案におけるマウスピース上の接触点造形種類の変化例図である。
【図８】前記ぺンチ体二股チャッキング・ツールを傾斜円柱体とした造形変化例図である。
【図９】前記マウスピース上の接触点を円柱形とした造形変化例図である。
【考案を実施するための形態】
【００１６】
以下、本考案の実施形態を図に基づいて詳述する。
【００１７】
図１から図４までは、本考案に係る透明フイルム・マウスピース２の位置決め調整用ぺンチであり、主として、ぺンチ体１を含み、前記ぺンチ体の先端に成型部４を備え、前記ペンチ体１の先端によってマウスピース２をはさみつけ、且つ前記成型部によってマウスピース２の上に接触点２１を形成する。
【００１８】
図５は、前記透明フイルム・マウスピース２を歯３の上にセットして、歯列矯正作業を行う様子を示す。又図６は、前記マウスピース２を歯３の上にセットしたとき、マウスピース２と歯３の間に隙間が生じ、この隙間のためにマウスピース２を直接歯３に圧力をかけられなくなるので、前記接触点２１を設け、この接触点２１によって前記歯３を必要な位置へ押す必要がある。本考案に係る前記ぺンチ体１は、まさに快速且つ正確に前記接触点２１を設置するための工具であり、歯科医が前記マウスピース２の位置を調整する時間を節約し、同時に患者の不快感を減らすことができる。
【００１９】
更に図１から図４を参照して一歩進んで言えば、前記ぺンチ体１の先端に開合できる二股チャッキング・ツール１１があり、前記成型部４は、二股チャッキング・ツール１１においてそれぞれ雄型金具４１及び雌型金具４２が設置され、前記二股チャッキング・ツール１１が前記マウスピース２を挟み付けた時、前記雄型金具４１でマウスピース２を押し付け、前記雌型金具４２によって前記接触点２１の造形を成型する。
【００２０】
又、図７に示すように、前記接触点２１の造形は必要に応じて設定することができる、若し、雄型金具４１及び雌型金具４２の型押し造形が点状の構造であれば、点状造形の接触点２１が形成される、しかし点状造形の接触点２１は、応力を一点に集中しなければならない、故に、歯３を推移させるとき、歪んだり滑ったりする恐れがあるので、歯３の推移方向に基づいて同時にいくつかの接触点２１を設置する必要がある。
【００２１】
操作を容易くするため、前記雄型金具４１及び雌型金具４２の型押し造形種類を別に縦方向直線造形或いは横方向直線造形となし、縦方向直線造形の接触点２２や横方向直線造形の接触点２３を形成し、力を平均的に矯正すべき歯３の上に分散させ、歯３に対して有効な推移作用を起こしてもよい。或いは、前記歯３の表面は完全に平らではないので、弧状表面を呈する歯３（たとえば臼歯）に対しては、前記雄型金具４１及び雌型金具４２の金型を弧状型の押し造形とし、前記マウスピース２の上に弧状の接触点２４を形成し、歯３と有効に接触させて、良好な歯列矯正の効果を発揮することができる。
【００２２】
図８と図９を参照して、前記雄型金具４１の外形は、更に傾斜円柱体としてもよく、前記マウスピース２の上に傾斜円柱状の接触点２５を作り、この接触点２５の円柱面に開口２６を切り出し、前記開口から線を引きだし、前記歯３の位置調整を行うことができる。
【００２３】
上述詳細な説明は、本考案についての具体的説明であり、ただし前記説明は、本考案の登録請求の範囲を制限するものではなく、およそ本考案の創作技芸精神を逸脱せずになされる等価実施或いは変更は、すべて本案の登録請求の範囲に含まれるものとする。
【符号の説明】
【００２４】
１：ぺンチ体
１１：チャッキング・ツール
２：マウスピース
２１〜２５：接触点
３：歯
４：成型部
４１：雄型金具
４２：雌型金具
２６：開口
【図１】
0003183598.tif 000003
【図２】
0003183598.tif 000004
【図３】
0003183598.tif 000005
【図４】
0003183598.tif 000006
【図５】
0003183598.tif 000007
【図６】
0003183598.tif 000008
【図７】
0003183598.tif 000009
【図８】
0003183598.tif 000010
【図９】
0003183598.tif 000011